(57)【要約】【課題】大量の毛髪束を１本のヘアクリップで完全に挟持でき、楽な姿勢で用いても確実に毛髪束の挟持が行え、かつ従来のヘアクリップのように親指が滑ってヘアクリップ自体を取り落とすというトラブルの発生もなく、解除の際にも頭髪を巻きこむことのないヘアクリップを開発する。【解決手段】把持部が作用部に対して５°〜２０°の角度を有し、閉じた状態で作用部に高さの最大値が５ｍｍ〜２０ｍｍの空間を有し、把持部上片の上面が上に凸の曲面状をなし、把持部の長さが作用部の長さの２５％〜４０％であり、作用部下片の枢軸近傍に盛り上がり部を有するヘアクリップを提供する。【選択図】        図１
2008178517.tif 000002
【特許請求の範囲】
【請求項１】
上片と下片が枢軸により枢着され、枢軸より正面側に毛髪束を挟持するための作用部が形成され、枢軸より背面側に把持部が形成され、作用部の長手方向の長さが把持部の長手方向の長さより長く、把持部に力がかかっていない状態にて作用部の作用部上片と作用部下片を閉じるように付勢するばねを有しているヘアクリップにおいて、把持部の平面視における長手方向の中心線が作用部の平面視における長手方向の中心線に対して時計回りに５°〜２０°の範囲内の角度を有していることを特徴とするヘアクリップ。
【請求項２】
把持部の平面視における長手方向の中心線が作用部の平面視における長手方向の中心線に対して時計回りに７°〜１５°の範囲内の角度を有していることを特徴とする請求項１に記載のヘアクリップ。
【請求項３】
作用部の上片を作用部上片とし作用部の下片を作用部下片とした場合に、作用部上片の前端部と作用部下片の前端部が閉じた状態にて作用部上片の下面と作用部下片の上面との間に高さの最大値が５ｍｍ〜２０ｍｍの空間が形成されるように構成されていることを特徴とする請求項１あるいは請求項２に記載のヘアクリップ。
【請求項４】
把持部の上片を把持部上片とし把持部の下片を把持部下片とした場合に、把持部上片の上面が上に凸の曲面状をなすことを特徴とする請求項１あるいは請求項２にあるいは請求項３に記載のヘアクリップ。
【請求項５】
平面視において把持部の長手方向の長さが作用部の長手方向の長さの２５％〜４０％の範囲内であることを特徴とする請求項１あるいは請求項２あるいは請求項３あるいは請求項４に記載のヘアクリップ。
【請求項６】
平面視において把持部の長手方向の長さが作用部の長手方向の長さの３０％〜３５％の範囲内であることを特徴とする請求項５に記載のヘアクリップ。
【請求項７】
作用部下片の上面の後部の枢軸近傍において、盛り上がり部を有していることを特徴とする請求項１あるいは請求項２にあるいは請求項３あるいは請求項４あるいは請求項５あるいは請求項６に記載のヘアクリップ。
【発明の詳細な説明】
【技術分野】
【０００１】
本発明は、理美容において、毛髪束を纏めておくために挟持する際に用いられる、ダッカールあるいはダッカールピンと呼称されるヘアクリップに関するものであり、さらに詳しくは、次の構成のヘアクリップに関するものである。
＜構成１＞
上片と下片が枢軸により枢着され、枢軸より正面側に毛髪束を挟持するための作用部が形成され、枢軸より背面側に把持部が形成され、作用部の長手方向の長さが把持部の長手方向の長さより長く、把持部に力がかかっていない状態にて作用部の作用部上片と作用部下片を閉じるように付勢するばねを有しているヘアクリップにおいて、把持部の平面視における長手方向の中心線が作用部の平面視における長手方向の中心線に対して時計回りに５°〜２０°の範囲内の角度を有していることを特徴とするヘアクリップ。
＜構成２＞
把持部の平面視における長手方向の中心線が作用部の平面視における長手方向の中心線に対して時計回りに７°〜１５°の範囲内の角度を有していることを特徴とする構成１に記載のヘアクリップ。
＜構成３＞
作用部の上片を作用部上片とし作用部の下片を作用部下片とした場合に、作用部上片の前端部と作用部下片の前端部が閉じた状態にて作用部上片の下面と作用部下片の上面との間に高さの最大値が５ｍｍ〜２０ｍｍの空間が形成されるように構成されていることを特徴とする構成１あるいは構成２に記載のヘアクリップ。
＜構成４＞
把持部の上片を把持部上片とし把持部の下片を把持部下片とした場合に、把持部上片の上面が上に凸の曲面状をなすことを特徴とする構成１あるいは構成２にあるいは構成３に記載のヘアクリップ。
＜構成５＞
平面視において把持部の長手方向の長さが作用部の長手方向の長さの２５％〜４０％の範囲内であることを特徴とする構成１あるいは構成２あるいは構成３あるいは構成４に記載のヘアクリップ。
＜構成６＞
平面視において把持部の長手方向の長さが作用部の長手方向の長さの３０％〜３５％の範囲内であることを特徴とする構成５に記載のヘアクリップ。
＜構成７＞
作用部下片の上面の後部の枢軸近傍において、盛り上がり部を有していることを特徴とする構成１あるいは構成２にあるいは構成３あるいは構成４あるいは構成５あるいは構成６に記載のヘアクリップ。
【背景技術】
【０００２】
従来のヘアクリップの一例を、図１２ａ〜図１４に示す。ヘアクリップｈｃは、上片ａと下片ｂが枢軸ａｘにより枢着され、枢軸ａｘより正面側に毛髪束Ｐ（図１８参照）を挟持するための作用部ａｃが形成され、枢軸ａｘより背面側に把持部ｇｒが形成され、作用部ａｃが把持部ｇｒより長く、把持部ｇｒに力がかかっていない状態にて作用部ａｃの上片ａと下片ｂを閉じるように付勢するバネｓｐを有している。なお、作用部ａｃにおける上片ａを作用部上片ａ１、下片ｂを作用部下片ｂ１、把持部ｇｒにおける上片ａを把持部上片ａ２、下片ｂを把持部下片ｂ２とする。
【０００３】
図１３ａに見るように、ヘアクリップｈｃは、長手方向の中心線ｃ１に対して平面視で左右対称に構成されている。また、作用部上片ａ１と作用部下片ｂ１は、図１２ａに見るように、側面視にて全体が上に凸の緩やかな弓状に湾曲されているが、把持部上片ａ２は後方上方に反り上げられ把持部上片ａ２全体が下に凸の曲面状に構成されている。また、把持部下片ｂ２は側面視にて略直線状となっている。さらに、バネｓｐは枢軸ａｘに巻装されている。
【０００４】
図１３ａに見るように、ヘアクリップｈｃの長手方向の全体の長さをｄ、作用部ａｃの長手方向の長さをｄ１、把持部ｇｒの長手方向の長さをｄ２とすると、ヘアクリップｈｃにおいては、長さｄ２は、長さｄ１の約１８．５％、全体の長さｄの約１５．５％に形成されているが、これは、この形式のヘアクリップ全般におけるごく普遍的な値である。すなわち、従来のヘアクリップｈｃにおいては、把持部ｇｒの長手方向の長さｄ２が作用部ａｃの長手方向の長さｄ１の２０％以下に形成されるのが普通である。なお、従来のヘアクリップｈｃの全体の長さｄは、小さなものでは１００ｍｍ前後、大きなものでも１５０ｍｍ程度であり、この間に各種のサイズが存在する。
【０００５】
また、上片ａと下片ｂが閉じた状態（図１２ａ）にて作用部上片ａ１の中間部ａ１２と作用部下片ｂ１の中間部ｂ１２は完全に当接せず、両者の間には僅かな空間ｓ１が形成されている（図１２ｂ参照）。この空間ｓ１の高さｄ３の最大値は従来のヘアクリップｈｃにおいては１ｍｍ〜２ｍｍ程度である。
【０００６】
ヘアクリップｈｃの作用は以下のとおりである。図１２ｃに見るように、把持部ｇｒを閉じる方向に、すなわち、把持部上片ａ２を押し下げ（方向ｘ１）ると同時に把持部下片ｂ２を押し上げる（方向ｘ２）ように力をかけると、作用部ａｃにて、作用部上片ａ１の前端部ａ１１が時計回り方向（図１２ｃの方向ｙ１）に、作用部下片ｂ１の前端部ｂ１１が反時計回り方向（図１２ｃの方向ｙ２）に回動して空間ｓ１は拡大され、バネｓｐは把持部ｇｒを開く方向に付勢される。
【０００７】
この状態を保ったまま、空間ｓ１に毛髪束Ｐを挿入して（図１５、図１６、図１８参照）、把持部ｇｒを押圧していた力を解除すると、バネｓｐの反発力により前端部ａ１１は反時計回り方向（方向ｚ１）に、前端部ｂ１１は時計回り方向（方向ｚ２）に回動して毛髪束Ｐは作用部上片ａ１と作用部下片ｂ１の間に挟持される。すなわち、毛髪束Ｐはヘアクリップｈｃの作用部ａｃに挟持され固定された状態となる。なお、ａ１３は作用部上片ａ１の後部、ｂ１３は作用部下片ｂ１の後部を示す。
【０００８】
毛髪束Ｐをヘアクリップｈｃにて挟持する理由はさまざまであるが、理美容師の作業中に一番多い用いられ方は次のようなものである。すなわち、図１８に見るように、被術者ＰＳの頭髪Ｈのうち、例えば一部の毛髪束Ｐ１のみにパーマをかけたい場合、目的の毛髪束Ｐ１以外の頭髪Ｈが開放状態であると作業の邪魔になるので、毛髪束Ｐとして一まとめにしておきたい。このとき毛髪束Ｐ全体をヘアクリップｈｃの作用部ａｃにて一旦挟持係止して作業を進める。すなわち、現時点での作業の進行に関係しない毛髪束Ｐを一まとめにして留めておくために用いられる場合が最も多い。
【０００９】
把持部ｇｒに力をかける状態を、具体的に表示すれば、図１５〜図１７のとおりとなる。すなわち、右手ＲＨ（右ききの場合）の親指Ｆ１の指先の腹部分Ｆ１ａを上片ａの把持部上片ａ２に配置し、人差指Ｆ２の第１関節と第２関節の間の側面部分Ｆ２ａを下片ｂの把持部下片ｂ２に配置し、腹部分Ｆ１ａから把持部上片ａ２に方向ｘ１の力を、側面部分Ｆ２ａから把持部下片ｂ２に方向ｘ２の力をかける。
【００１０】
この際肝要な点は、図１７に見るように、ヘアクリップｈｃの中心線ｃ１と親指Ｆ１の中心線ｃ２を一致させるように親指Ｆ１を配置するということである。すなわち、このように配置することにより、親指Ｆ１の腹部分Ｆ１ａは図１５、図１６に見るように、完全に把持部上片ａ２の上面に当接する。把持部上片ａ２の反り（図１２ａ参照）は、そのように親指Ｆ１が配置されることを前提にして、図１５、図１６のように親指Ｆ１が配置された場合に親指Ｆ１からの方向ｘ１の力が最も効率よく把持部上片ａ２に働くように設計されているものである。特に、把持部上片ａ２の端部ａ２１が強く上方に跳ね上がるような形態となっているのは、この部分が図１６に見るように親指Ｆ１の腹部分Ｆ１ａに食い込み、親指Ｆ１の位置を安定させるとともに、親指Ｆ１からの力が完全に把持部上片ａ２に伝達されるようにという配慮による。
【００１１】
前述のように、ヘアクリップｈｃにおいては、把持部ｇｒの長さｄ２（図１３ａ参照）は作用部ａｃの長さｄ１の１８．５％となっている。通常のヘアクリップにおいては、長さｄ２と長さｄ１の比がこの程度（２０％未満）であるが、その理由は以下のとおりである。すなわち、把持部ｇｒを長く設計した場合、一旦毛髪束Ｐが挟持されると、把持部ｇｒは挟持状態の解除までその役割を失い、その間はむしろ邪魔者扱いになるという点にある。把持部ｇｒの、特に上方に反りあがった把持部上片ａ２の端部ａ２１に理美容師の手やその他の用具（図示せず）が引っかかるとヘアクリップｈｃの位置がずれ、挟持されていた毛髪束Ｐの形も崩れるので、その都度ヘアクリップｈｃを操作しなおして毛髪束Ｐの形を整えなければならない。このような不便が生じるので、把持部ｇｒはできるだけ小さめに設計される傾向があり、その結果、長さｄ２も短くされる傾向が強い。
【００１２】
しかしながら、長さｄ２を短めに設計した結果として、図１５、図１６のように作用部ａｃを開く際に、把持部ｇｒにかなりの力をかけなければならないという難点が生じることになった。すなわち、支点である枢軸ａｘからの距離が短くなるため、把持部上片ａ２を押し下げ（方向ｘ１）且つ把持部下片ｂ２を押し上げる（方向ｘ２）ために、かなりの力を必要とする結果となった。しかしながら、毛髪束Ｐの挟持の際には多少の力を要しても、把持部ｇｒを小さめに設計すれば、後のプロセスでヘアクリップｈｃのやり直しが減少するので、そちらの効果を重視して、現在市販されているヘアクリップは、その殆どが把持部を小さく設計していることは前述のとおりである。そのような従来のヘアクリップを開示する特許文献を２件掲げておく。下記特許文献１に記載のヘアクリップ（ヘアークリップと呼称）は従来のヘアクリップよりもさらに把持部を大きく反り上げた例であり、下記特許文献２に記載のヘアクリップ（髪止め具と呼称）は従来のヘアクリップにより近い例である。
【特許文献１】特開平８‐３３６４１６号公報
【特許文献２】特開２００５‐５８５６４号公報
【発明の開示】
【発明が解決しようとする課題】
【００１３】
以上に紹介した従来のヘアクリップｈｃには、さまざまな点で使いずらいところがあった。
その第１点は、把持部ｇｒを小さめに設計したことにより把持部ｇｒに力を加えて作用部ａｃを開く際に大きな力を要することであり、この点は上記に詳しく説明したとおりである。
次に、第２点は、前述の、把持部上片ａ２が反り上げられている点である。把持部ｇｒをあまりに小さく設計すると、長さｄ２が極端に短くなって作用部ａｃを開くために多大な力を必要とするため、把持部上片ａ２を斜め上方に反り上げて延長を確保しようとする。しかし、このように把持部上片ａ２が反り上げられた結果、かえってこの部分に理美容師の手や他の道具が引っ掛かるというトラブルが生じるようになった。
さらに、第３点は上記２点に関連することであり、この点を以下に詳細に説明する。
【００１４】
ヘアクリップｈｃにて毛髪束Ｐを挟持する際には、図１７に見るように、ヘアクリップｈｃの中心線ｃ１と親指Ｆ１の中心線ｃ２を一致させるように把持部ｇｒを把持しなければならないことは、上に説明した。しかし、この必要性が、理美容師に、無理な姿勢を強いる結果となっている。すなわち、図１８に見るように、通常の状態では、理美容師（右手ＲＨのみ表示）は毛髪束Ｐの中心線Ｐｃに直角にヘアクリップｈｃを差し込んで毛髪束Ｐを挟持する。このためには、毛髪束Ｐの中心線Ｐｃとヘアクリップｈｃの中心線ｃ１を直角に配置しなければならない。ところが、上記から、ヘアクリップｈｃの中心線ｃ１と親指Ｆ１の中心線ｃ２は一致させなければならないから、結局、親指Ｆ１の中心線ｃ２を毛髪束Ｐの中心線Ｐｃに対して直角に位置させなければならない。
【００１５】
しかし、このようにするためには、理美容師の右手ＲＨの下腕ＲＨ１の中心線ｃ３を親指Ｆ１の中心線ｃ２に一致させる必要がある。しかし、実際にやってみると、そのような姿勢には相当に無理があり、実際は図１８に見るように、親指Ｆ１の中心線ｃ２と下腕ＲＨ１の中心線ｃ３は角度εをもってずれてくる。ところが、この角度εがあまり大きくなりすぎると、今度は手首ＲＨ３に負担がかかるようになるので、実際の現場では角度εは人によって異なるが５°から２５°くらいの範囲で作業が行われている。すなわち、中心線ｃ３が中心線ｃ２からあまり大きくずれない範囲で、実際の作業は行われている。
【００１６】
次に、下腕ＲＨ１の中心線ｃ３と上腕ＲＨ２の中心線ｃ４のなす角度ζを見ると、これは殆どの人で略９０°となるすなわち、外側に肘ＥＬを張り出した状態で作業が行われており、これは理美容師にとっては不自然な姿勢である。角度εを小さく保ったままで角度ζが略９０°にするということは肘ＥＬを張って下腕ＲＨ１、上腕ＲＨ２を水平状態に保つということになり、理美容師に不自然な姿勢を強いるということになる。
【００１７】
このため、多くの理美容師においては、ヘアクリップｈｃにて毛髪束Ｐを挟持する際に、図２１に示すような姿勢となる傾向が見られる。すなわち親指Ｆ１の中心線ｃ２と下腕ＲＨ１の中心線ｃ３のなす角度εはできるだけ小に保つものの、角度ζが９０°を大きく超えて１８０°に接近し、下腕ＲＨ１と上腕ＲＨ２が一直線状に近くなる。このような姿勢をとると、肘ＥＬを緩めて下腕ＲＨ１と上腕ＲＨ２を下げることが可能となるので、理美容師にとっては楽ではあるものの、図２０に見るように、親指Ｆ１の中心線ｃ２がヘアクリップｈｃの中心線ｃ１から大きく傾き、角度ηをなして交わるようになる。
【００１８】
前述のようにヘアクリップｈｃの把持部ｇｒの把持部上片ａ２の形状は、図１５〜図１７に見るように、親指Ｆ１の中心線ｃ２とヘアクリップｈｃの中心線ｃ１をぴったり一致させて、親指Ｆ１の腹部分Ｆ１ａを把持部上片ａ２の上面に食い込ませて押圧するように設計されているため、親指Ｆ１の中心線ｃ２とヘアクリップｈｃの中心線ｃ１のなす角度ηが大になると、図２２に見るように、親指Ｆ１の腹部分Ｆ１ａが把持部上片ａ２の急角度に反り上げられた上面をｗ方向に滑落する場合が出てくる。即ち、親指Ｆ１の腹部分Ｆ１ａを把持部上片ａ２の上面、特に端部ａ２１に食い込ませた状態（図１５、図１６参照）にしない限り、親指Ｆ１の安定性は崩れて、ｗ方向に滑落する可能性が大となる。
【００１９】
このように、親指Ｆ１の腹部分Ｆ１ａがｗ方向に滑落すると親指Ｆ１が把持部上片ａ２から外れ、その結果、バネｓｐの反発力が働いてヘアクリップｈｃ全体が右手ＲＨから跳躍してしまう結果ともなる（図２３参照）。バネｓｐの反発力はかなり強力なので、場合によってはヘアクリップｈｃが勢い良く飛ぶこともあり、被術者ＰＳやまわりの人に当たると危険でもある。また、落ちたヘアクリップｈｃは衛生的に問題があって、そのままでは使えないということにもなり、余分な手間がかかる結果ともなる。実際の理美容の現場では、こういうトラブルがけっこう多く、その解決が求められていた。
【００２０】
また、従来のヘアクリップｈｃには、次のような問題もあった。すなわち、図２１に見るように、大量の毛髪束Ｐをヘアクリップｈｃにて挟持しようとする場合には、ヘアクリップｈｃの作用部ａｃに形成される空間ｓ１が狭小のため（図１２ａ、図１２ｂ参照）、図１９に見るように複数のヘアクリップｈｃをさまざまな方向から差し入れて挟持しなければならないという点である。ヘアクリップｈｃには各種のサイズがあることは前述のとおりであるが、最も大型の、全長が１５０ｍｍ程度のヘアクリップｈｃをもってしても、大量の毛髪束Ｐを１本できちんと挟持することには無理があり、複数本を使用せねばならなかった。ヘアクリップｈｃの全長をさらに長いものとすることは可能であるが、全体が大型化するとバネｓｐにも強力なものを使用しなければならなくなり、結局使用に際してはより強い力が必要となる。したがって、この点でも大型化には限界がある。
【００２１】
この問題は、実は、ヘアクリップｈｃの把持部ｇｒが短く構成される理由とも関係している。すなわち、使用するヘアクリップｈｃの数が多くなればなるほど、突出する把持部ｇｒの数も増えるので、邪魔になる把持部ｇｒをますます短く構成する必要が出てくるのである。しかるに、把持部ｇｒを短くすると作用部ａｃを開く際に把持部ｇｒを押圧するためにより強い力を求められることになり、より作業が困難になってしまう。理美容師は、無理な姿勢を避けようとして図２１に見るような姿勢を取りがちになり、その結果、親指Ｆ１が把持部上片ａ２から外れてヘアクリップｈｃを落とすトラブルも増加する。
【００２２】
さらに、上記の問題点に加え、従来のヘアクリップｈｃには、次のような問題点があった。すなわち、毛髪束Ｐを挟持したヘアクリップｈｃを解除する場合に、図１２ａあるいは図１２ｃに示す作用部上片ａ１の後部ａ１３と作用部下片ｂ１の後部ｂ１３の間の空間ｓ１ａに、毛髪束Ｐの一部が噛みこまれるという事態がまま生じた。毛髪束Ｐの一部が空間ｓ１ａに噛みこまれると毛髪束Ｐからのヘアクリップｈｃの脱抜がうまくいかず、毛髪の一部を引っ張って被術者ＰＳに痛い思いをさせることとなる。さらに甚だしくは、毛髪の一部が枢軸ａｘに巻装されたバネｓｐに噛みこまれてしまうと、場合によっては当該の毛髪を引き抜いてしまう危険さえあった。
【００２３】
ここで、本発明が解決しようとする課題をまとめてみると、次のとおりとなる。
＜課題１＞
従来のヘアクリップにおいては、使用の際に理美容師が無理な姿勢を強いられることがあり、楽な姿勢で作業を進めようとすると、ヘアクリップの中心線と親指の中心線がずれて親指が把持部上片の上面を滑落し、ヘアクリップを取り落とすトラブルが良く生じていた。これは、ヘアクリップの構成に問題があり、構成自体を変化させることにより、理美容師が楽な姿勢で作業ができ、しかも取り落とすこともないヘアクリップを開発したい。
【００２４】
＜課題２＞
従来のヘアクリップでは、大量の毛髪束を挟持しようとする場合には、複数個のヘアクリップを用いることが必要となる。したがって、毛髪束から把持部がいろいろな方向に突出する結果となり、突出した把持部が理美容師の手や他の道具に引っ掛かって挟持状態が崩れる等のトラブルが生じていた。したがって、１本で、大量の毛髪束を確実に挟持できる構成のヘアクリップが希求される。
【００２５】
＜課題３＞
従来のヘアクリップでは、毛髪束を挟持してしまえば不必要となる把持部の長さをできるだけ短く設計しようとする傾向が強かった。しかし、あまりに短くすると作用部を開くために把持部に強力な力を掛ける必要が生じるので、その解決策として、特に親指で押圧する把持部上片を斜め上方に跳ね上げ、平面視では把持部の長さを短くしつつ、把持部上片の実質の延長は可能な限り長く取れるようにした。その結果として、把持部上片は下に凸の曲面状をなし、把持部上片の端部は強く上方に反り上がる現在の形が一般的となった。しかし、この形状が親指の滑落を誘い、上記の、ヘアクリップを取り落とすというトラブルの原因ともなった。また、把持部上片が反り上げられた結果、かえってこの部分に理美容師の手や他の道具が引っ掛かるというトラブルも発生している。このような状況から、把持部全体の形状を根本的に考え直した新たなヘアクリップの開発が望まれるところである。
【００２６】
＜課題４＞
さらに、上記に付帯する課題として、従来のヘアクリップにては、挟持状態を解除する際に、毛髪の一部が作用部上片の後部と作用部下片の後部に形成される空間に噛みこまれ、さらには枢軸に巻装されたバネに噛みこまれる危険さえあった。顧客に対して、一度でもこのようなトラブルを起こすと、その顧客は二度とその店を訪れなくなる可能性もあるので、この点も重大な問題である。したがって、構成上このようなトラブルの起こすことのないヘアクリップの開発も、また望まれていた。
【課題を解決するための手段】
【００２７】
本発明は、上記課題を解決するためになされたものであって、以下に示す解決手段を提供するものである。
＜解決手段１＞
上片と下片が枢軸により枢着され、枢軸より正面側に毛髪束を挟持するための作用部が形成され、枢軸より背面側に把持部が形成され、作用部の長手方向の長さが把持部の長手方向の長さより長く、把持部に力がかかっていない状態にて作用部の作用部上片と作用部下片を閉じるように付勢するばねを有しているヘアクリップにおいて、把持部の平面視における長手方向の中心線が作用部の平面視における長手方向の中心線に対して時計回りに５°〜２０°の範囲内の角度を有していることを特徴とするヘアクリップ。
＜解決手段２＞
把持部の平面視における長手方向の中心線が作用部の平面視における長手方向の中心線に対して時計回りに７°〜１５°の範囲内の角度を有していることを特徴とする解決手段１に記載のヘアクリップ。
＜解決手段３＞
作用部の上片を作用部上片とし作用部の下片を作用部下片とした場合に、作用部上片の前端部と作用部下片の前端部が閉じた状態にて作用部上片の下面と作用部下片の上面との間に高さの最大値が５ｍｍ〜２０ｍｍの空間が形成されるように構成されていることを特徴とする解決手段１あるいは解決手段２に記載のヘアクリップ。
＜解決手段４＞
把持部の上片を把持部上片とし把持部の下片を把持部下片とした場合に、把持部上片の上面が上に凸の曲面状をなすことを特徴とする解決手段１あるいは解決手段２にあるいは解決手段３に記載のヘアクリップ。
＜解決手段５＞
平面視において把持部の長手方向の長さが作用部の長手方向の長さの２５％〜４０％の範囲内であることを特徴とする解決手段１あるいは解決手段２あるいは解決手段３あるいは解決手段４に記載のヘアクリップ。
＜解決手段６＞
平面視において把持部の長手方向の長さが作用部の長手方向の長さの３０％〜３５％の範囲内であることを特徴とする解決手段５に記載のヘアクリップ。
＜解決手段７＞
作用部下片の上面の後部の枢軸近傍において、盛り上がり部を有していることを特徴とする解決手段１あるいは解決手段２にあるいは解決手段３あるいは解決手段４あるいは解決手段５あるいは解決手段６に記載のヘアクリップ。
【発明の効果】
【００２８】
本発明の、解決手段１あるいは解決手段２の発明によれば、把持部の平面視における長手方向の中心線が作用部の平面視における長手方向の中心線に対して時計回りに５°〜２０°の範囲内の角度あるいは時計回りに７°〜１５°の範囲内の角度を有しているので、理美容師が被術者の毛髪束を挟持せんとする際に、理美容師に無理な姿勢を強いることがない。すなわち、理美容師が上腕部と下腕部を略直角に保つように即ち肘を張るように努力しなくても、把持部の中心線と親指の中心線のなす角度を小さくすることができ、しかも作用部を毛髪束の中心線に対して直角に位置させることが可能である。この結果として、理美容師は、楽な姿勢で確実に毛髪束を挟持可能となり、またそれゆえにヘアクリップを手から取り落とすトラブルも減少する。
【００２９】
なお、作用部の中心線と把持部の中心線のなす角度に一定の範囲が設けてある理由は、理美容師の個人的な癖や好みによって、適性角度（適する角度）が異なってくるという理由による。この点を明らかにするために、試作品を作って多くの理美容師に実際に使ってもらい、意見を聞いた。その結果として、適性角度の最小値を５°、最大値を２０°とした。また、さらに狭い７°〜１５°の範囲は、多くの理美容師の支持を得た適性角度である。なお、一番支持の多かった適性角度は１３°前後であった。
【００３０】
本発明の解決手段３の発明によれば、作用部上片の前端部と作用部下片の前端部が閉じた状態にて作用部上片の下面と作用部下片の上面との間に高さの最大値が５ｍｍ〜２０ｍｍの空間が形成されるように構成されているので、大量の毛髪束も１本のヘアクリップで無理なく確実に挟持できる。なお、適性数値範囲が５ｍｍ〜２０ｍｍと広いのは、挟持する毛髪束の量によって作用部上片の下面と作用部下片の上面との間の高さの適性な最大値が変化するためである。
【００３１】
すなわち、挟持対象の毛髪束が少量になれば作用部上片の下面と作用部下片の上面との間の高さの最大値は小となり（５ｍｍ以上８ｍｍ未満）、挟持対象の毛髪束がやや多めになれば作用部上片の下面と作用部下片の上面との間の高さの最大値もやや大なり（８ｍｍ以上１５ｍｍ未満）、挟持対象の毛髪束がさらに多くなれば作用部上片の下面と作用部下片の上面との間の高さの最大値もさらに大となる（１５ｍｍ以上２０ｍｍまで）。適性数値範囲の下限値の５ｍｍは、これを下回ると従来のヘアクリップとの区別が余りつかなくなるという意味での限界値であり、上限値の２０ｍｍは、これを上回るとヘアクリップの構成（部材の曲率等）自体に無理が生じるという限界である。なお、事実上は、よほど大量の毛髪束ではない限り、高さの最大値は８ｍｍ〜１５ｍｍ程度で充分対応可能である。
【００３２】
本発明の解決手段４の発明によれば、把持部上片の上面が上に凸の曲面状をなしているので、把持部上片の端部が従来のヘアクリップのように突出することがなく、把持部の長さを長くしても理美容師の手や他の道具が端部に引っ掛かることがなく、毛髪束の挟持が崩れる等のトラブルが生じない。また、把持部上片の上面を親指の腹部分が滑落するという事態も発生しないので、そのことが原因で理美容師がヘアクリップを取り落とすというトラブルも生じなくなる。
【００３３】
本発明の解決手段５あるいは解決手段６の発明によれば、平面視において把持部の長手方向の長さが作用部の長手方向の長さの２５％〜４０％の範囲内あるいは３０％〜３５％の範囲内と、従来のヘアクリップに比べて長く構成してあるので、把持部を押圧する力が従来のヘアクリップに比べて少なくて済む。その分、理美容師の疲労感も少なく、作業が快適になる。また、大型でバネの力の強いヘアクリップも楽に扱えるようになる。なお、把持部の長手方向の長さを作用部の長手方向の長さで除した値の百分率を、以下ρと記載し、数値範囲の説明をする。
【００３４】
百分率ρの第１の範囲２５％〜４０％の下限値の２５％は、これを下回ると従来のヘアクリップと余り使い勝手が変わらないものとなってしまう限界の値として設定した。また、上限値の４０％は、ヘアクリップの全体のサイズを考えた場合に、把持部の長さの上限値として設定したものである。例えば、最も大きなサイズのヘアクリップにおいては、作用部の長さが１２０ｍｍ前後となるが、この４０％として把持部の長さを計算すると４８ｍｍであり、ヘアクリップの全長は１６８ｍｍとなる。これは、操作性からいってもヘアクリップの全重量からしてもヘアクリップのサイズの略限界値といってよく、これを上回るサイズのヘアクリップを実際に用いることはまずありえないと考えられる。
【００３５】
百分率ρの第２の範囲３０％〜３５％は、理美容の現場にて多く用いられるサイズのヘアクリップにおける百分率ρの適性数値範囲として設定したもので、この数値範囲は、試作品を多くの理美容師に使ってもらった結果の値として導出したものである。すなわち、百分率ρがこの範囲内のヘアクリップに対し、使いやすいとして多くの理美容師の支持が集まったものである。
【００３６】
本発明の解決手段７の発明によれば、作用部下片の上面の後部の枢軸近傍において、盛り上がり部を有しているので、毛髪束の挟持を解除する際にも、毛髪の一部が作用部上片の後部と作用部下片の後部に形成される空間に噛みこまれることがなく、また枢軸に巻装されたバネに噛みこまれる危険も生じない。
【発明を実施するための最良の形態】
【００３７】
本発明を実施するための最良の形態を、以下に図面を参照しながら詳細に説明する。なお、以下に説明する実施例１〜４は、いずれも解決手段７に記載の発明の１実施例である。
【実施例１】
【００３８】
＜実施例１の構成＞
実施例１のヘアクリップＨＣ１を、図１ａ〜図４ａに示す。なお、図１ａはヘアクリップＨＣ１の右側面図、図１ｂは左側面図、図２ａは平面図、図２ｂは底面図、図３ａは背面図、図３ｂは正面図、図４ａは外観斜視図でいずれも作用部ＡＣが閉じられた状態を示す。
【００３９】
実施例１のヘアクリップＨＣ１は、上片１と下片２が枢軸３により枢着され、枢軸３より正面側に毛髪束Ｐ（図５ｂ参照）を挟持する作用部ＡＣが形成され、枢軸３より背面側に把持部ＧＲが形成され、作用部ＡＣの長手方向の長さＤ１が把持部ＧＲの長手方向の長さＤ２より長く（図２ａ参照）、把持部ＧＲに力がかかっていない状態にて作用部ＡＣの作用部上片１１と作用部下片２１を閉じるように付勢するバネ４を有している。実施例１のヘアクリップＨＣ１にては、長さＤ１は１００ｍｍ、長さＤ２は３３ｍｍ、また、全体の長さＤは１３３ｍｍである。
【００４０】
また、実施例１のヘアクリップＨＣ１においては、把持部ＧＲの平面視における長手方向の中心線Ｃ２が作用部ＡＣの平面視における長手方向の中心線Ｃ１に対して時計回りに角度αを有している（図２ａ参照）。角度αは、実施例１のヘアクリップＨＣ１においては１３°である。図２ａに明らかなように、ヘアクリップＨＣ１全体の屈曲点ωは、枢軸３のやや後方に位置している。
【００４１】
さらに、実施例１のヘアクリップＨＣ１においては、作用部上片１１の前端部１１ａと作用部下片２１の前端部２１ａが閉じた状態にて作用部上片１１の下面と作用部下片２１の上面との間に高さの最大値がＤ３の空間Ｓ１が形成されるように構成されている。この空間Ｓ１は、作用部下片２１が側面視（図１ａ、図１ｂ参照）で下に凸の曲線状に屈曲されることにより形成されている。実施例１のヘアクリップＨＣ１においては、高さＤ３は１０．５ｍｍである。
【００４２】
把持部ＧＲは把持部上片１２と把持部下片２２から構成されるが、把持部上片１２の上面は上に凸の曲面状をなす。これに対し、把持部下片２２は後端部がやや上方に反った板状をなす。また、平面視において把持部ＧＲの長手方向の長さＤ２が作用部ＡＣの長手方向の長さＤ１の約３３％となっている（図２ａ参照）。なお、長さＤ１は、全体の長さＤに対しては約２５％である。さらに、作用部下片２１の上面の後部２１ｃの枢軸３の近傍において、盛り上がり部２１ｄを有している。
【００４３】
上片１は図６ａ、図７ａ〜図７ｄに見るように、作用部ＡＣ側の作用部上片１１が側面視で緩やかな弧を描く板状、把持部ＧＲ側の把持部上片１２が上に凸の曲面状をなし、作用部上片１１と把持部上片１２が一体として形成されている。また、作用部上片１１と把持部上片１２の中間部分にて、左右両側面が下方に延伸されたフランジＦＲ１、ＦＲ２として形成されている。フランジＦＲ１には円孔Ｈ１が、フランジＦＲ２には円孔Ｈ２が、夫々穿設されているが、円孔Ｈ１、Ｈ２は、枢軸３を挿貫させるための構成である。フランジＦＲ１、ＦＲ２はその高さを減じながら把持部上片１２まで延伸されている。
【００４４】
また、作用部上片１１は、図７ｂ、図７ｃに明らかなように断面が緩やかなアーチ状をなしており、後部１１ｃに向かうに従い、徐々に厚さを増加させる。さらに、把持部上片１２は上述のように左右両側面にフランジＦＲ１、ＦＲ２を有し、前部１２ａの上面は緩やかなスロープ状となり、後端部１２ｂの上面は上に凸の曲面状に丸められている。この点は、従来のヘアクリップｈｃの把持部上片ａ２の端部ａ２１（図１２ａ参照）と対照的である。なお、上片１の材質としては、金属、合成樹脂、木材が考えられるが、通常は金属製あるいは合成樹脂製とされる。
【００４５】
下片２は、図６ｃ、図８ａ〜図８ｅに見るように、作用部ＡＣ側の作用部下片２１が側面視で屈曲された板状をなし、把持部ＧＲ側の把持部下片２２が、前部２２ａと後部２２ｂが僅かに屈折された板状をなし、作用部下片２１と把持部下片２２が一体として形成されている。また、作用部下片２１と把持部下片２２の中間部分にて、左右両側面が上方に延伸されたフランジＦＲ３、ＦＲ４として形成されている。フランジＦＲ３には円孔Ｈ３が、フランジＦＲ４には円孔Ｈ４が、夫々穿設されているが、円孔Ｈ３、Ｈ４は、枢軸３を挿貫させるための構成である。
【００４６】
また、作用部下片２１は、図８ｃに明らかなように断面が緩やかなアーチ状をなしており、後部２１ｃには山状の盛り上がり部２１ｄが後部２１ｃと一体に形成されている。さらに、把持部下片２２の後部２２を除く部分の上面には、左右両側面のごく低いフランジＦＲ５、ＦＲ６に画された凹部２２ｃが形成されている。なお、下片２の材質としては、金属、合成樹脂、木材が考えられるが、通常は金属製とされる。これは、下片２は頭皮側に位置する部材であるが、作業中は頭皮側にはパーマ液など各種の薬液が塗布されていることが多く、合成樹脂製とした場合には薬液による合成樹脂の劣化が顕著であるという理由による。
【００４７】
枢軸３は、図６ｂに見るように、円筒形状の本体３ａと、本体３ａの両端に付着された半球状の頭部３ｂ、３ｃから構成されており、図３ａに見るように、右端がフランジＦＲ１の円孔Ｈ１、フランジＦＲ３の円孔Ｈ３に回動自在に挿貫され、左端がフランジＦＲ２の円孔Ｈ２、フランジＦＲ４の円孔Ｈ４に回動自在に挿貫されている。また、本体３ａにはコイルバネであるバネ４が巻装されており、バネ４の一方の端部４ａは把持部上片１２の下面に形成される空間Ｓａに格納係止され、他方の端部４ｂは把持部下片２２の上面に形成される凹部２２ｃに格納係止される（図１ａ参照）。なお、枢軸３とバネ４は金属製である。
【００４８】
＜実施例１の作用＞
実施例１のヘアクリップＨＣ１は、図４ｂに示すように、把持部ＧＲを閉じる方向に、すなわち、右手ＲＨの親指Ｆ１の腹部分Ｆ１ａにて把持部上片１２を押し下げ（方向Ｘ１）ると同時に人差指Ｆ２の側面部分Ｆ２ａにて把持部下片２２を押し上げる（方向Ｘ２）ように力をかけると、作用部ＡＣにて、作用部上片１１の前端部１１ａが時計回り方向（図４ｂの方向Ｙ１）に、作用部下片２１の前端部２１ａが反時計回り方向（図１４ｂの方向Ｙ２）に回動して空間Ｓ１は拡大され、バネ４（図１ａ参照）は把持部ＧＲを開く方向に付勢される。
【００４９】
この状態を保ったまま、空間Ｓ１に毛髪束Ｐを挿入して（図４ｂ、図５ａ、図５ｂ参照）、把持部ＧＲにかけていた力を解除すると、バネ４の反発力により把持部ＧＲは図４ａの状態に復元しようとし、作用部ＡＣの前端部１１ａは反時計回り方向（図４ｂの方向Ｚ１）に、前端部２１ａは時計回り方向（図４ｂの方向Ｚ２）に回動して作用部ＡＣが閉じ、毛髪束Ｐは作用部上片１１と作用部下片２１の間に挟持される。バネ４は、毛髪束Ｐを挟持した状態にてなお把持部ＧＲを開くように付勢されており、この力は作用部ＡＣをさらに閉じる方向に付勢するので、毛髪束ＰはヘアクリップＨＣ１の作用部ＡＣに確実に挟持され固定された状態となる。
【００５０】
この際、図５ａに見るように、ヘアクリップＨＣ１の把持部ＧＲの中心線Ｃ２は作用部ＡＣの中心線Ｃ１に対して時計回りに角度αをもって交わっているので、作用部ＡＣの中心線Ｃ１と親指Ｆ１の中心線Ｃ３の交わる角度β１と把持部ＧＲの中心線Ｃ２と親指Ｆ１の中心線Ｃ３の交わる角度β２を比較すると、角度β２は角度β１から角度αを差し引いた値となる。
【００５１】
この状態を、従来のヘアクリップｈｃの把持状態（図１７、図１８、図２０、図２１参照）と比較すると、以下のとおりである。すなわち、従来のヘアクリップｈｃにおいては、図１７に示すようにヘアクリップｈｃの中心線ｃ１と親指Ｆ１の中心線ｃ２を一致させる把持方法が理想的な把持状態であったが、この把持方法は理美容師に大きな負担感を強いるので、図２０に見るように親指Ｆ１の中心線ｃ２を大きく傾け、ヘアクリップｈｃの中心線ｃ１と親指Ｆ１の中心線ｃ２が角度ηで交わるような状態で使用する傾向があることは前に述べたとおりである。また、これによるトラブルの発生、すなわちヘアクリップｈｃを取り落とすというトラブルが起こることも前述のとおりである。
【００５２】
これに対し、実施例１のヘアクリップＨＣ１にては、図５ａに見るように、ヘアクリップＨＣ１の把持部ＧＲ自体が角度αをもって理美容師の身体（図示せず）側に屈曲されているので、たとえ図２０に示すような持ち方をしたとしても、すなわち、図５ａの角度β１と図２０の角度ηが等しくなるような持ち方をしたとしても、把持部ＧＲの中心線Ｃ２と親指Ｆ１の中心線Ｃ３がなす角度β２は、角度β１（＝角度η）より角度α分だけ緩やかとなり、その分だけ上記トラブルの発生を減らすことができる。
【００５３】
また、これに加えて、図１ａに示すように把持部上片１２の上面自体が従来のヘアクリップｈｃの把持部上片ａ２と正反対の形状、すなわち上に凸の緩やかなスロープをなし、さらに後端部１２ｂも従来のヘアクリップｈｃの把持部上片ａ２の反り上げられた端部ａ２１とは対照的に丸められた状態であるので、親指Ｆ１の腹部分Ｆ１ａが把持部上片１２の上面を滑落することがなく、この点においても、従来のヘアクリップｈｃのように取り落とすというトラブルの発生が抑えられる。すなわち、従来のヘアクリップｈｃにおいては、図１６、図１７に示すように、親指Ｆ１の腹部分Ｆ１ａがきちんと把持部上片ａ２、特に端部ａ２１を押さえ込んでいる限り問題は生じないが、図２０に示すように、親指Ｆ１の腹部分Ｆ１ａが端部ａ２１からはずれると、図２２のように親指Ｆ１全体が把持部上片ａ２からｗ方向に滑落する可能性が高かった。しかるに、実施例１のヘアクリップＨＣ１にては、把持部上片１２の上面自体が上に凸の緩やかなスロープをなし且つ従来のヘアクリップｈｃの端部ａ２１のような特異点を有しないので、把持部の中心線Ｃ２と親指の中心線Ｃ３を一致させた持ち方の場合（図示せず）も、図５ａのように把持部の中心線Ｃ２と親指の中心線Ｃ３が角度β１をなして交わる持ち方の場合も、実質的には殆ど把持具合は変わらず、いずれも安定的な把持が可能である。
【００５４】
以上に述べたような２点の構成上の特徴により、実施例１のヘアクリップＨＣ１は、理美容師が図５ａ、図５ｂに示すような疲労感の少ない把持方法にて使用したとしても、従来のヘアクリップｈｃに見られたトラブルから開放されるものである。すなわち、図５ｂに見るように、作用部ＡＣの中心線Ｃ１と親指Ｆ１の中心線Ｃ３のなす角度β１と、作用部ＡＣの中心線Ｃ１と下腕ＲＨ１の中心線Ｃ４のなす角度γを略等しくさせ、さらに下腕ＲＨ１の中心線Ｃ４と上腕ＲＨ２の中心線Ｃ５のなす角度δをできる限り１８０°に近づけた状態、すなわち肘ＥＬを緩ませた状態が理美容師にとっては最も疲労感の少ない使用状態であるが、この状態にても、前述の２つの理由から、理美容師はヘアクリップＨＣ１を取り落とすことなく、確実に毛髪束Ｐを挟着係止できるものである。
【００５５】
またさらに、図１ａに見るように、作用部上片１１と作用部下片２１の間に、最大の高さがＤ３となるような空間Ｓ１を有しているので、従来のヘアクリップｈｃでは複数本を要した大量の毛髪束Ｐを挟着する場合（図１９参照）にても、実施例１のヘアクリップＨＣ１を使用すれば図５ｂに示すように１本のヘアクリップＨＣ１にて完全且つ確実に挟着係止を行うことができる。この点は、試作品を作って実験を繰り返したが、実験に参加したどの理美容師が行っても１本のヘアクリップＨＣ１にて完全且つ確実に挟着係止を行うことができ、非常に好評であった。
【００５６】
さらに、実施例１のヘアクリップＨＣ１においては、図１ａ、図８ａ、図６ｃに見るように、作用部下片２１の後部２１ｃに盛り上がり部２１ｄが設けてあるので、ヘアクリップＨＣ１を解除する際にもこの盛り上がり部２１ｄが障壁の役割を果たし、毛髪が作用部ＡＣの枢軸３近傍に巻き込まれることがなくなった。すなわち、被術者ＰＳに危険を及ぼす惧れのない安全に使用できるヘアクリップＨＣ１を提供できるようになったものである。
【実施例２】
【００５７】
実施例２のヘアクリップＨＣ２を、図９ａ、図９ｂに示す。実施例２のヘアクリップＨＣ２の構成は、実施例１のヘアクリップＨＣ１の構成と略同様で、上片５と下片６が枢軸３により枢着され、枢軸３より正面側に毛髪束Ｐ（図５ｂ参照）を挟持する作用部ＡＣが形成され、枢軸３より背面側に把持部ＧＲが形成され、把持部ＧＲに力がかかっていない状態にて作用部ＡＣの作用部上片５１と作用部下片６１を閉じるように付勢するバネ４を有している（図９ａ参照）。また、把持部ＧＲの平面視における長手方向の中心線Ｃ２が作用部ＡＣの平面視における長手方向の中心線Ｃ１に対して時計回りでαの角度を有している（図９ｂ参照）。
【００５８】
実施例２のヘアクリップＨＣ２が実施例１のヘアクリップＨＣ１と大きく異なる点は、作用部上片５１と作用部下片６１の形状である。すなわち、作用部ＡＣにおいて最大の高さがＤ４である空間Ｓ２を確保するために、作用部上片５１を側面視で上に凸状に屈曲させ、作用部下片６１は側面視で略水平状態としている。なお、高さＤ４は、実施例２のヘアクリップＨＣ２にては８．５ｍｍである。また、実施例２のヘアクリップＨＣ２の作用は実施例１のヘアクリップＨＣ１と略同様である。
【００５９】
実施例３のヘアクリップＨＣ３を、図１０ａ、図１０ｂに示す。実施例３のヘアクリップＨＣ３の構成も、実施例１のヘアクリップＨＣ１の構成と略同様で、上片７と下片８が枢軸３により枢着され、枢軸３より正面側に毛髪束Ｐ（図５ｂ参照）を挟持する作用部ＡＣが形成され、枢軸３より背面側に把持部ＧＲが形成され、把持部ＧＲに力がかかっていない状態にて作用部ＡＣの作用部上片７１と作用部下片８１を閉じるように付勢するバネ４を有している（図１０ａ参照）。また、把持部ＧＲの平面視における長手方向の中心線Ｃ２が作用部ＡＣの平面視における長手方向の中心線Ｃ１に対して時計回りでαの角度を有している（図１０ｂ参照）。
【００６０】
実施例３のヘアクリップＨＣ３が実施例１のヘアクリップＨＣ１と大きく異なる点は、作用部上片７１と作用部下片８１の形状である。すなわち、作用部ＡＣにおいて最大の高さがＤ５である空間Ｓ３を確保するために、作用部上片５１を側面視で上に凸状に屈曲させ、作用部下片６１を側面視で下に凸状に屈曲させている。なお、高さＤ５は、実施例３のヘアクリップＨＣ３にては１４．５ｍｍである。また、実施例３のヘアクリップＨＣ３の作用は実施例１のヘアクリップＨＣ１と略同様であるが、作用部上片７１と作用部下片８１を両方とも屈曲させているので、作用部上片７１と作用部下片８１の形状に無理な曲線を導入することなく、高さＤ５を高さＤ４より大とすることができる。したがって実施例３のヘアクリップＨＣ３は実施例１のヘアクリップＨＣ１に比較して、より多量の毛髪束の挟持に用いられるものである。
【００６１】
実施例４のヘアクリップＨＣ４を、図１１ａ、図１１ｂに示す。実施例４のヘアクリップＨＣ４の構成も、実施例１のヘアクリップＨＣ１の構成と略同様で、上片９と下片１０が枢軸３により枢着され、枢軸３より正面側に毛髪束Ｐ（図５ｂ参照）を挟持する作用部ＡＣが形成され、枢軸３より背面側に把持部ＧＲが形成され、把持部ＧＲに力がかかっていない状態にて作用部ＡＣの作用部上片９１と作用部下片１０１を閉じるように付勢するバネ４を有している（図１１ａ参照）。また、把持部ＧＲの平面視における長手方向の中心線Ｃ２が作用部ＡＣの平面視における長手方向の中心線Ｃ１に対して時計回りでαの角度を有している（図１１ｂ参照）。
【００６２】
実施例４のヘアクリップＨＣ４は実施例１のヘアクリップＨＣ１において、作用部ＡＣにおいて空間Ｓ４を実施例１のヘアクリップＨＣ１の空間Ｓ１より小とした例である。すなわち、空間Ｓ４の最大の高さＤ６を、空間Ｓ１の最大の高さＤ３の半分程度としている。したがって、作用部下片１０１の側面視での曲率が、実施例１のヘアクリップＨＣ１の作用部下片２１の側面視での曲率よりかなり緩やかなものとされている。したがって実施例４のヘアクリップＨＣ４は実施例１のヘアクリップＨＣ１に比較して、より少量の毛髪束の挟持に用いられるものである。なお、高さＤ６は、実施例４のヘアクリップＨＣ４にては５．５ｍｍである。
【産業上の利用可能性】
【００６３】
本発明のヘアクリップは、従来のヘアクリップに存した多くの問題点を解決したものであり、大量の毛髪束を１本で挟持でき、使い勝手が良く、ヘアクリップを取り落とすというトラブルの発生もない便利な道具として、特に理美容業界において、幅広い層の理美容師に歓迎される技術内容を有するものである。
【図面の簡単な説明】
【００６４】
【図１】（ａ）本発明の実施例１のヘアクリップの右側面図である。（ｂ）本発明の実施例１のヘアクリップの左側面図である。
【図２】（ａ）本発明の実施例１のヘアクリップの平面図である。（ｂ）本発明の実施例１のヘアクリップの底面図である。
【図３】（ａ）本発明の実施例１のヘアクリップの背面図である。（ｂ）本発明の実施例１のヘアクリップの正面図である。
【図４】（ａ）本発明の実施例１のヘアクリップの外観斜視図である。（ｂ）本発明の実施例１のヘアクリップの作用を説明する説明図である。
【図５】（ａ）本発明の実施例１のヘアクリップの作用を説明する説明図である。（ｂ）本発明の実施例１のヘアクリップの作用を説明する説明図である。
【図６】（ａ）本発明の実施例１のヘアクリップの上片の外観斜視図である。    （ｂ）本発明の実施例１のヘアクリップの枢軸とバネの外観斜視図である。    （ｃ）本発明の実施例１のヘアクリップの下片の外観斜視図である。
【図７】（ａ）本発明の実施例１のヘアクリップの上片の右側面図である。    （ｂ）図７ａのＡ−Ａ線断面図である。    （ｃ）図７ａのＢ−Ｂ線断面図である。    （ｄ）図７ａのＣ−Ｃ線断面図である。
【図８】（ａ）本発明の実施例１のヘアクリップの下片の右側面図である。    （ｂ）図８ａのＤ−Ｄ線断面図である。    （ｃ）図８ａのＥ−Ｅ線断面図である。    （ｄ）図８ａのＦ−Ｆ線断面図である。    （ｅ）図８ａのＧ−Ｇ線断面図である。
【図９】（ａ）本発明の実施例２のヘアクリップの右側面図である。    （ｂ）本発明の実施例２のヘアクリップの要部の平面図である。
【図１０】（ａ）本発明の実施例３のヘアクリップの右側面図である。    （ｂ）本発明の実施例３のヘアクリップの要部の平面図である。
【図１１】（ａ）本発明の実施例４のヘアクリップの右側面図である。    （ｂ）本発明の実施例４のヘアクリップの要部の平面図である。
【図１２】（ａ）従来のヘアクリップの一例の右側面図である。    （ｂ）図１２ａの要部の拡大図である。    （ｃ）従来のヘアクリップの一例の作用を説明する説明図である。
【図１３】（ａ）従来のヘアクリップの一例の平面図である。    （ｂ）図１３ａの要部の拡大図である。
【図１４】従来のヘアクリップの一例の外観斜視図である。
【図１５】従来のヘアクリップの一例の作用を説明する説明図である。
【図１６】従来のヘアクリップの一例の作用を説明する説明図である。
【図１７】従来のヘアクリップの一例の作用を説明する説明図である。
【図１８】従来のヘアクリップの一例の作用を説明する説明図である。
【図１９】従来のヘアクリップの一例の作用を説明する説明図である。
【図２０】従来のヘアクリップの一例の作用を説明する説明図である。
【図２１】従来のヘアクリップの一例の作用を説明する説明図である。
【図２２】従来のヘアクリップの一例の作用を説明する説明図である。
【図２３】従来のヘアクリップの一例の作用を説明する説明図である。
【符号の説明】
【００６５】
１        上片
１１      作用部上片
１１ａ    前端部
１１ｂ    中間部
１１ｃ    後部
１２      把持部上片
１２ａ    前部
１２ｂ    後端部
２        下片
２１      作用部下片
２１ａ    前端部
２１ｂ    中間部
２１ｃ    後部
２１ｄ    盛り上がり部
２２      把持部下片
２２ａ    前部
２２ｂ    後部
２２ｃ    凹部
３        枢軸
３ａ      本体
３ｂ      頭部  
３ｃ      頭部
４        バネ
４ａ      端部
４ｂ      端部
５        上片
５１      作用部上片
６        下片
６１      作用部下片
７        上片
７１      作用部上片
８        下片
８１      作用部下片
９        上片
９１      作用部上片
１０        下片
１０１    作用部下片
ＡＣ      作用部
Ｃ１      中心線
Ｃ２      中心線
Ｃ３      中心線
Ｃ４      中心線
Ｄ        長さ
Ｄ１      長さ
Ｄ２      長さ
Ｄ３      高さ
Ｄ４      高さ
Ｄ５      高さ
Ｄ６      高さ
ＥＬ      肘
Ｆ１      親指
Ｆ１ａ    腹部分
Ｆ２      人差指
Ｆ２ａ    側面部分
ＦＲ１    フランジ
ＦＲ２    フランジ
ＦＲ３    フランジ
ＦＲ４    フランジ
ＦＲ５    フランジ
ＦＲ６    フランジ
ＧＲ      把持部
Ｈ        頭髪
Ｈ１      円孔
Ｈ２      円孔
Ｈ３      円孔
Ｈ４      円孔
ＨＣ１    ヘアクリップ
ＨＣ２    ヘアクリップ
ＨＣ３    ヘアクリップ
ＨＣ４    ヘアクリップ
Ｐ        毛髪束
Ｐ１      毛髪束
ＰＳ      被術者
Ｐｃ      中心線
ＲＨ      右手
ＲＨ１    下腕
ＲＨ２    上腕
ＲＨ３    手首
Ｓ１      空間
Ｓ２      空間
Ｓ３      空間
Ｓ４      空間
Ｓａ      空間
Ｘ１      方向
Ｘ２      方向
Ｙ１      方向
Ｙ２      方向
Ｚ１      方向
Ｚ２      方向
ａ        上片
ａ１      作用部上片
ａ１１    前端部
ａ１２    中間部
ａ１３    後部
ａ２      把持部上片
ａ２１    端部
ａｃ      作用部
ａｘ      枢軸
ｂ        下片
ｂ１      作用部下片
ｂ１１    前端部
ｂ１２    中間部
ｂ１３    後部
ｂ２      把持部下片
ｃ１      中心線
ｃ２      中心線
ｃ３      中心線
ｃ４      中心線
ｄ        長さ
ｄ１      長さ
ｄ２      長さ
ｄ３      高さ
ｇｒ      把持部
ｈｃ      ヘアクリップ
ｓｐ      バネ
ｓ１      空間
ｓ１ａ    空間
ｗ        方向
ｘ１      方向
ｘ２      方向
ｙ１      方向
ｙ２      方向
ｚ１      方向
ｚ２      方向
α        角度
β１      角度
β２      角度
ε        角度
ζ        角度
η        角度
ρ        百分率
ω        屈曲点
【図１】
2008178517.tif 000003
【図２】
2008178517.tif 000004
【図３】
2008178517.tif 000005
【図４】
2008178517.tif 000006
【図５】
2008178517.tif 000007
【図６】
2008178517.tif 000008
【図７】
2008178517.tif 000009
【図８】
2008178517.tif 000010
【図９】
2008178517.tif 000011
【図１０】
2008178517.tif 000012
【図１１】
2008178517.tif 000013
【図１２】
2008178517.tif 000014
【図１３】
2008178517.tif 000015
【図１４】
2008178517.tif 000016
【図１５】
2008178517.tif 000017
【図１６】
2008178517.tif 000018
【図１７】
2008178517.tif 000019
【図１８】
2008178517.tif 000020
【図１９】
2008178517.tif 000021
【図２０】
2008178517.tif 000022
【図２１】
2008178517.tif 000023
【図２２】
2008178517.tif 000024
【図２３】
2008178517.tif 000025
【手続補正書】
【提出日】平成19年5月14日(2007.5.14)
【手続補正１】
【補正対象書類名】特許請求の範囲
【補正対象項目名】請求項１
【補正方法】変更
【補正の内容】
【請求項１】
上片と下片が枢軸により枢着され、枢軸より正面側に毛髪束を挟持するための作用部が形成され、枢軸より背面側に把持部が形成され、作用部の長手方向の長さが把持部の長手方向の長さより長く、把持部に力がかかっていない状態にて作用部の作用部上片と作用部下片を閉じるように付勢するばねを有しているヘアクリップにおいて、ヘアクリップ全体の屈曲点を枢軸のやや後方に位置させて、直線形状を成す作用部に対して傾斜状に形成させた把持部を、該把持部の平面視における長手方向の中心線が作用部の平面視における長手方向の中心線に対して時計回りに５°〜２０°の範囲内の角度を有するように構成したことを特徴とするヘアクリップ。
【手続補正２】
【補正対象書類名】明細書
【補正対象項目名】０００１
【補正方法】変更
【補正の内容】
【０００１】
本発明は、理美容において、毛髪束を纏めておくために挟持する際に用いられる、ダッカールあるいはダッカールピンと呼称されるヘアクリップに関するものであり、さらに詳しくは、次の構成のヘアクリップに関するものである。
＜構成１＞
上片と下片が枢軸により枢着され、枢軸より正面側に毛髪束を挟持するための作用部が形成され、枢軸より背面側に把持部が形成され、作用部の長手方向の長さが把持部の長手方向の長さより長く、把持部に力がかかっていない状態にて作用部の作用部上片と作用部下片を閉じるように付勢するばねを有しているヘアクリップにおいて、ヘアクリップ全体の屈曲点を枢軸のやや後方に位置させて、直線形状を成す作用部に対して傾斜状に形成させた把持部を、該把持部の平面視における長手方向の中心線が作用部の平面視における長手方向の中心線に対して時計回りに５°〜２０°の範囲内の角度を有するように構成したことを特徴とするヘアクリップ。
＜構成２＞
把持部の平面視における長手方向の中心線が作用部の平面視における長手方向の中心線に対して時計回りに７°〜１５°の範囲内の角度を有していることを特徴とする構成１に記載のヘアクリップ。
＜構成３＞
作用部の上片を作用部上片とし作用部の下片を作用部下片とした場合に、作用部上片の前端部と作用部下片の前端部が閉じた状態にて作用部上片の下面と作用部下片の上面との間に高さの最大値が５ｍｍ〜２０ｍｍの空間が形成されるように構成されていることを特徴とする構成１あるいは構成２に記載のヘアクリップ。
＜構成４＞
把持部の上片を把持部上片とし把持部の下片を把持部下片とした場合に、把持部上片の上面が上に凸の曲面状をなすことを特徴とする構成１あるいは構成２にあるいは構成３に記載のヘアクリップ。
＜構成５＞
平面視において把持部の長手方向の長さが作用部の長手方向の長さの２５％〜４０％の範囲内であることを特徴とする構成１あるいは構成２あるいは構成３あるいは構成４に記載のヘアクリップ。
＜構成６＞
平面視において把持部の長手方向の長さが作用部の長手方向の長さの３０％〜３５％の範囲内であることを特徴とする構成５に記載のヘアクリップ。
＜構成７＞
作用部下片の上面の後部の枢軸近傍において、盛り上がり部を有していることを特徴とする構成１あるいは構成２にあるいは構成３あるいは構成４あるいは構成５あるいは構成６に記載のヘアクリップ。
【手続補正３】
【補正対象書類名】明細書
【補正対象項目名】００２７
【補正方法】変更
【補正の内容】
【００２７】
本発明は、上記課題を解決するためになされたものであって、以下に示す解決手段を提供するものである。
＜解決手段１＞
上片と下片が枢軸により枢着され、枢軸より正面側に毛髪束を挟持するための作用部が形成され、枢軸より背面側に把持部が形成され、作用部の長手方向の長さが把持部の長手方向の長さより長く、把持部に力がかかっていない状態にて作用部の作用部上片と作用部下片を閉じるように付勢するばねを有しているヘアクリップにおいて、ヘアクリップ全体の屈曲点を枢軸のやや後方に位置させて、直線形状を成す作用部に対して傾斜状に形成させた把持部を、該把持部の平面視における長手方向の中心線が作用部の平面視における長手方向の中心線に対して時計回りに５°〜２０°の範囲内の角度を有するように構成したことを特徴とするヘアクリップ。
＜解決手段２＞
把持部の平面視における長手方向の中心線が作用部の平面視における長手方向の中心線に対して時計回りに７°〜１５°の範囲内の角度を有していることを特徴とする解決手段１に記載のヘアクリップ。
＜解決手段３＞
作用部の上片を作用部上片とし作用部の下片を作用部下片とした場合に、作用部上片の前端部と作用部下片の前端部が閉じた状態にて作用部上片の下面と作用部下片の上面との間に高さの最大値が５ｍｍ〜２０ｍｍの空間が形成されるように構成されていることを特徴とする解決手段１あるいは解決手段２に記載のヘアクリップ。
＜解決手段４＞
把持部の上片を把持部上片とし把持部の下片を把持部下片とした場合に、把持部上片の上面が上に凸の曲面状をなすことを特徴とする解決手段１あるいは解決手段２にあるいは解決手段３に記載のヘアクリップ。
＜解決手段５＞
平面視において把持部の長手方向の長さが作用部の長手方向の長さの２５％〜４０％の範囲内であることを特徴とする解決手段１あるいは解決手段２あるいは解決手段３あるいは解決手段４に記載のヘアクリップ。
＜解決手段６＞
平面視において把持部の長手方向の長さが作用部の長手方向の長さの３０％〜３５％の範囲内であることを特徴とする解決手段５に記載のヘアクリップ。
＜解決手段７＞
作用部下片の上面の後部の枢軸近傍において、盛り上がり部を有していることを特徴とする解決手段１あるいは解決手段２にあるいは解決手段３あるいは解決手段４あるいは解決手段５あるいは解決手段６に記載のヘアクリップ。
【手続補正４】
【補正対象書類名】明細書
【補正対象項目名】００２８
【補正方法】変更
【補正の内容】
【００２８】
本発明の、解決手段１あるいは解決手段２の発明によれば、ヘアクリップ全体の屈曲点を枢軸のやや後方に位置させて、直線形状を成す作用部に対して傾斜状に形成させた把持部を、該把持部の平面視における長手方向の中心線が作用部の平面視における長手方向の中心線に対して時計回りに５°〜２０°の範囲内の角度あるいは時計回りに７°〜１５°の範囲内の角度を有しているので、理美容師が被術者の毛髪束を挟持せんとする際に、理美容師に無理な姿勢を強いることがない。すなわち、理美容師が上腕部と下腕部を略直角に保つように即ち肘を張るように努力しなくても、把持部の中心線と親指の中心線のなす角度を小さくすることができ、しかも作用部を毛髪束の中心線に対して直角に位置させることが可能である。この結果として、理美容師は、楽な姿勢で確実に毛髪束を挟持可能となり、またそれゆえにヘアクリップを手から取り落とすトラブルも減少する。